(57)【要約】【課題】  従来の玉口つき丸瓦では、その連続設置状態において、丸瓦の頭部側（玉口）は別の丸瓦の尻部が被されているので単独で浮き上がることがないが、丸瓦の尻部側は特別な固定手段（針金による緊結等）を用いないと、単独で浮き上がる。【解決手段】  丸瓦の頭部２側に突出形成した玉口１１を別の丸瓦の尻部３の下面に差込み、且つ一方の丸瓦の頭部側端面１２と他方の丸瓦の尻部側端面１３とを突き合わせて設置するようにした丸瓦において、丸瓦における尻部側端面１３を別の丸瓦の頭部２側に下方から係合し得るようにすることにより、丸瓦の連続設置状態において、頭部２側及び尻部３側の両方をそれぞれ別の丸瓦で補強し得るようにした。【選択図】      図２
2005113414.tif 000002
【特許請求の範囲】
【請求項１】
丸瓦の頭部（２）側に段下げ状態で突出形成した玉口（１１）を別の丸瓦の尻部（３）の下面に差込み、且つ一方の丸瓦の頭部側端面（１２）と他方の丸瓦の尻部側端面（１３）とを突き合わせて連続設置するようにした丸瓦であって、
単一の丸瓦における頭部側端面（１２）及び尻部側端面（１３）をそれぞれ所定の小角度（ａ）づつ尻部（３）側に向けて下降傾斜させている、
ことを特徴とする丸瓦。
【請求項２】
丸瓦の頭部（２）側に段下げ状態で突出形成した玉口（１１）を別の丸瓦の尻部（３）の下面に差込み、且つ一方の丸瓦の頭部側端面（１２）と他方の丸瓦の尻部側端面（１３）とを突き合わせて連続設置するようにした丸瓦であって、
単一の丸瓦における尻部側端面（１３）の下端部に尻部（３）側に向けて突出する係合凸部（２２）を設ける一方、頭部側端面（１２）の下端部に別の丸瓦の係合凸部（２２）を係入させる係入凹部（２３）を設けた、
ことを特徴とする丸瓦。
【発明の詳細な説明】
【技術分野】
【０００１】
本願発明は、屋根の棟部や屋根の斜面に一列連続状態で設置される丸瓦に関するものである。
【背景技術及び発明が解決しようとする課題】
【０００２】
図６には、素丸瓦と称される従来の丸瓦Ｃを示している。この丸瓦Ｃには、円弧面状の本体１の一端側に本体外表面より段下げした状態で小円弧面状の玉口１１を突出形成している。尚、この丸瓦Ｃでは、玉口１１を形成している側が頭部２となり、その反対側が尻部３となる。又、この丸瓦Ｃでは、頭部側端面１２及び尻部側端面１３がそれぞれ丸瓦長さ方向線に対して垂直面となっている。
【０００３】
そして、図６の丸瓦Ｃは、図７に示すように屋根棟部１０に連続設置される（屋根の斜面に設置されることもある）が、その設置状態では、一方の丸瓦Ｃの玉口１１部分が別の丸瓦Ｃの尻部３下面に差込まれ（換言すると、別の丸瓦の尻部３で玉口１１部分が被覆され）、且つ一方の丸瓦Ｃの頭部側端面１２と他方の丸瓦の尻部側端面１３とが接合状態で突き合わされている。尚、各丸瓦の左右下面には、図示しない熨斗瓦や棟平瓦（又は斜面用の平瓦や桟瓦）が設置されており、両丸瓦Ｃ，Ｃ間の隙間から侵入する雨水は、玉口１１部分で受けられた後、熨斗瓦等の上に流れるようになっている。
【０００４】
ところが、図７に示す丸瓦の設置状態では、各丸瓦Ｃ，Ｃ・・の頭部２，２・・側は、玉口１１部分が別の（図７では左側の）丸瓦Ｃの尻部３で被覆されているので、該丸瓦Ｃの頭部２側が単独で持ち上がることはないが、各丸瓦Ｃ，Ｃ・・の尻部３側は、単に玉口１１部分に被され且つ尻部側端面１３と別の丸瓦Ｃの頭部側端面１２とが鉛直姿勢で接合しているだけなので、該尻部３が浮き上がろうとする作用に対する抑止力はほとんどない。
【０００５】
従って、上記従来例の丸瓦Ｃを使用したものでは、設置状態において各丸瓦Ｃ，Ｃ間の連結力が弱く、例えば台風時において強風が吹き付けると、図７に鎖線図示（符号Ｃ′）するように丸瓦Ｃの尻部３側がめくれ易くなる。又、このように各丸瓦Ｃ，Ｃ間の連結力が弱いと、地震発生時に各丸瓦Ｃが位置ずれし易いという問題もある。
【０００６】
ところで、丸瓦を固定する方法として、従来から一般に、図８に示すように各丸瓦Ｃを針金８で屋根基材側に緊結したり、あるいは該丸瓦を釘で屋根基材側に固定することが行われている。ところが、この場合は、丸瓦本体１部分に針金（又は釘）挿通用の穴９，９を形成する必要があるので、該穴９，９から微量ではあるが雨水の侵入が予想され、防水面で好ましくない。又、針金８とか釘とかで丸瓦を固定したものでは、経時変化で（古くなって）針金や釘による固定力がなくなると、図７と同じ状態になって丸瓦の取付強度が弱くなってしまう。
【０００７】
本願発明は、上記した従来の問題点に鑑み、設置状態において各丸瓦の尻部側を連続設置される別の丸瓦の頭部で補強できる（押え得る）ようにした丸瓦を提供することを目的としている。
【発明の開示】
【課題を解決するための手段】
【０００８】
本願発明は、上記課題を解決するための手段として次の構成を有している。尚、本願各発明は、屋根棟部や屋根斜面に設置される丸瓦を対象にしている。
【０００９】
又、本願各発明の丸瓦は、丸瓦の頭部側に段下げ状態で突出形成した玉口を別の丸瓦の尻部の下面に差込み、且つ一方の丸瓦の頭部側端面と他方の丸瓦の尻部側端面とを突き合わせて連続設置するようにしたものである。
【００１０】
本願請求項１の発明
そして、本願請求項１の発明の丸瓦では、単一の丸瓦における頭部側端面及び尻部側端面をそれぞれ所定の小角度づつ尻部側に向けて下降傾斜させている。
【００１１】
この頭部側端面と尻部側端面の各下降傾斜角度は、特に限定するものではないが、丸瓦長さ方向線に対する垂直面に対して５°〜１５°の範囲が適当であり、その中でも１０°程度が好ましい。
【００１２】
本願の丸瓦は、屋根棟部（又は屋根斜面）に連続して設置されるが、その設置状態では、頭部側の玉口が別の丸瓦の尻部の下面に差込まれている（換言すると、頭部側の玉口が別の丸瓦の尻部で被覆されている）ので、各丸瓦の頭部側は単独で浮き上がることがない。他方、各丸瓦の設置状態では、丸瓦の頭部側端面と他方の丸瓦の尻部側端面とが同角度で尻部側に下降傾斜した状態で相互に接合（又はほぼ接合）しているので、丸瓦の尻部側が浮き上がろうとしも、該尻部側端面（特にその下端寄り部）が別の丸瓦の頭部側端面（特にその下端寄り部）に衝合して、該尻部側が単独で浮き上がることがない。
【００１３】
本願請求項２の発明
本願請求項２の発明の丸瓦は、単一の丸瓦における尻部側端面の下端部に尻部側に向けて突出する係合凸部を設ける一方、頭部側端面の下端部に別の丸瓦の係合凸部を係入させる係入凹部を設けている。
【００１４】
この請求項２の発明の丸瓦では、屋根棟部に連続設置したときに、頭部側の玉口が別の丸瓦の尻部の下面に差込まれる一方、尻部側端面下端部の係合凸部が別の丸瓦の頭部側端面下端部の係入凹部内に嵌入する。尚、係合凸部が係入凹部内に嵌入している状態では、該係合凸部が係入凹部に保持されて上動不能となっている。従って、この請求項２の丸瓦でも、連続設置状態においては、丸瓦の頭部側及び尻部側が、それぞれ単独で浮き上がることがない。
【発明の効果】
【００１５】
本願請求項１及び２の各発明では、屋根棟部（又は屋根斜面）に連続設置した際に、頭部側及び尻部側がそれぞれ隣接する別の丸瓦の端部で押さえられるので、各丸瓦が相互に補強機能を果たすようになり、針金や釘等の固定手段を用いなくても、各丸瓦を安定状態で設置できるという効果がある。
【００１６】
又、本願の丸瓦は、連続設置状態において、針金や釘等の固定手段を用いて屋根棟部等に固定することもできるが、その場合、経時変化で針金や釘等の固定機能がなくなっても、各丸瓦による相互係止機能は存続するので、長期に亘って安定状態を維持できる。
【実施例】
【００１７】
図１〜図５を参照して本願実施例を説明すると、図１〜図３には本願第１実施例の丸瓦Ａが示され、図４〜図５には本願第２実施例の丸瓦Ｂが示されている。尚、この各実施例の丸瓦Ａ，Ｂは、素丸瓦と称される粘土製のものを採用している。
【００１８】
図１〜図３の第１実施例
この第１実施例の丸瓦Ａは、本体１部分を円弧面状に湾曲させているとともに、丸瓦の頭部２側に段下げした状態で円弧面状の玉口１１を突出形成している。この玉口１１は、設置時に別の丸瓦Ａの尻部３の下面に差込まれる。尚、２つの丸瓦Ａ，Ａを連続して設置したときには、各丸瓦本体１，１の外表面が面一状に揃うようになっている。
【００１９】
又、この丸瓦Ａは、頭部側端面１２及び尻部側端面１３をそれぞれ尻部３側に向けて同角度（図２の角度ａ）づつ下降傾斜させている。この頭部側端面１２と尻部側端面１３の各下降傾斜角度ａは、この実施例ではそれぞれ角度約１０°に設定している。この場合、頭部側端面１２は丸瓦長さ方向線に対する角度ｂが約８０°となり、尻部側端面１３は丸瓦長さ方向線に対する角度ｃが約１００°となる。
【００２０】
そして、この丸瓦Ａは、図３に示すように屋根棟部１０に連続設置されるが、その設置状態では、一方の丸瓦Ａの玉口１１上に別の（左側の）丸瓦Ａの尻部３が被されるので、各丸瓦Ａ，Ａ・・の頭部２側は単独で浮き上がることがない。他方、各丸瓦Ａ，Ａ・・の尻部側端面１３は、別の（右側の）丸瓦Ａの頭部側端面１２が傾斜状態で接合しているので、丸瓦Ａの尻部３側が浮き上がろうとしも、該尻部側端面１３が別の丸瓦の頭部側端面１２に衝合して、該尻部３側が単独で浮き上がることがない。
【００２１】
従って、この丸瓦Ａを使用すると、隣接する丸瓦Ａ，Ａ同士が相互に補強し合い、針金や釘等の固定手段を用いなくても、各丸瓦Ａ，Ａ・・を安定状態で設置できる。又、この丸瓦Ａは、本体１部分に例えば図８に示すような穴を設けて、針金や釘等で屋根棟部１０（又は屋根斜面）に固定することもできるが、その場合、経時変化で針金や釘等の固定機能がなくなっても、各丸瓦Ａ，Ａによる相互係止機能は存続するので、安定状態を維持できる。
【００２２】
図４〜図５の第２実施例
この第２実施例の丸瓦Ｂでは、頭部２側の玉口１１が別の丸瓦の尻部３の下面で被覆されるのは上記第１実施例と同じであるが、尻部３の浮き上がりを防止するための構成として、尻部側端面１３の下端部に尻部３の外方に向けて突出する係合凸部２２を設ける一方、頭部側端面１２の下端部に別の丸瓦の係合凸部２２を係入させる係入凹部２３を設けている。
【００２３】
尻部３側の係合凸部２２は、丸瓦の連続設置状態において、別の（図５では右側の）丸瓦Ｂの頭部２に形成している係入凹部２３に下方から係合するようになっている。
【００２４】
従って、この第２実施例の丸瓦でも、連続設置状態においては、丸瓦Ｂの頭部２側及び尻部３側が、それぞれ単独で浮き上がることがない。
【図面の簡単な説明】
【００２５】
【図１】本願第１実施例の丸瓦の斜視図である。
【図２】図１の丸瓦の側面図である。
【図３】図１の丸瓦の使用状態を示す断面図である。
【図４】本願第２実施例の丸瓦の斜視図である。
【図５】図４の丸瓦の側面図である。
【図６】従来の丸瓦の斜視図である。
【図７】図６の丸瓦の使用状態を示す断面図である。
【図８】従来の丸瓦の他の使用状態を示す断面図である。
【符号の説明】
【００２６】
１は丸瓦本体、２は頭部、３は尻部、１１は玉口、１２は頭部側端面、１３は尻部側端面、２２は係合凸部、２３は係入凹部である。
【図１】
2005113414.tif 000003
【図２】
2005113414.tif 000004
【図３】
2005113414.tif 000005
【図４】
2005113414.tif 000006
【図５】
2005113414.tif 000007
【図６】
2005113414.tif 000008
【図７】
2005113414.tif 000009
【図８】
2005113414.tif 000010